(57)【要約】      （修正有）【課題】眩しく感じる恐れがなく、鏡写りも改善することができ、光源の点検・交換作業が容易で、製造コストも低い照明付き鏡装置を提供する。【解決手段】鏡面の周辺部に透光領域１１ｂ、１１ｄ等を有する鏡１１と、壁面３１に固定可能として構成された、光源としてのＬＥＤユニット２２と、鏡１１を壁面３１に所定の隙間４０をあけて着脱可能に係止するための係止手段としての鏡側支持体１２と壁側支持体２１とを備える。ＬＥＤユニット２２は、ＬＥＤユニット２２から放出された光が透光領域１１ｂ、１１ｄ等を介して鏡１１の表側に送出されるように配置される。光散乱手段により、透光領域１１ｂ、１１ｄ等から送出される光は散乱光とされる。ＬＥＤユニット２２から放出された光の一部は、鏡１１の裏側から壁面３１に沿って外向きに照射される。【選択図】図６
0003167562.tif 000002
【実用新案登録請求の範囲】
【請求項１】
鏡面の周辺部に透光領域を有する鏡と、
壁面に固定可能として構成された光源と、
前記光源から放出された光を散乱させて散乱光を生成する光散乱手段と、
前記鏡を前記壁面に所定の隙間をあけて着脱可能に係止するための係止手段とを備え、
設置時には、前記光源は前記壁面に固定され、前記鏡は、前記光散乱手段により生成された散乱光が前記透光領域を介して前記鏡の裏側からその表側に送出されるように、前記係止手段によって係止され、
前記光源から放出された光の一部は、前記鏡の裏側から前記壁面に沿って外向きに照射されることを特徴とする照明付き鏡装置。
【請求項２】
前記係止手段が、前記鏡の裏面に装着された、第１係合面を持つ第１支持体と、前記壁面に固定可能として構成された、第２係合面を持つ第２支持体とを備えており、前記壁面に固定された前記第２支持体の前記第２係合面に、前記第１支持体の第１係合面を係止させることで、前記鏡が前記壁面に着脱可能に係止される請求項１に記載の照明付き鏡装置。
【請求項３】
前記光源が、前記透光領域に対応する形状で配置された複数のＬＥＤチップであり、前記光散乱手段が、前記透光領域の全体を覆う光散乱シートである請求項１または２に記載の照明付き鏡装置。
【請求項４】
前記透光領域が、前記鏡の鏡面の周辺部においてその少なくとも三つの辺に沿って配置されていると共に、前記三つの辺に沿って延在する帯状に形成されている請求項１〜３のいずれかに記載の照明付き鏡装置。
【請求項５】
前記透光領域が、前記鏡の鏡面の周辺部においてその四つの辺に沿って配置されている請求項１〜３のいずれかに記載の照明付き鏡装置。
【考案の詳細な説明】
【技術分野】
【０００１】
本考案は、洗面所等に設置される鏡装置に関し、さらに言えば、鏡と光源とを備えてなると共に、鏡写りや照明状況を改善して使いやすくした鏡装置に関するものである。
【背景技術】
【０００２】
この種の鏡装置については、従来、使いやすさ等を改善するために数多くの提案がなされている。その一例が、特許文献１（特開平８−１１７０３７号公報）に開示された「照明付き鏡台」である。
【０００３】
この照明付き鏡台は、裏面に光反射板を設け、左右の縁付近に透光領域を形成した鏡を、枠の前面に設けている。そして、前記枠の背後を内面に反射面を有するカバーで覆うと共に、前記鏡と前記カバーとの間に照明灯（例えば蛍光灯）を配置し、さらに、前記透光領域の各々と前記カバーとの間に反射板を配置して、それらの反射版によって前記照明灯からの光が前記透光領域の各々を通って、この照明付き鏡台の前方に座る使用者に向けて投射されるように構成している。こうすることで、その使用者に対して、その左右から演色性豊かな照明を十分に行うようにし、緻密な化粧が容易にできるようにしている(請求項１、図２、要約を参照)。
【０００４】
他の例としては、特許文献２（特開２００８−１３５３３９号公報）に開示されている「照明付き鏡装置」がある。
【０００５】
この照明付き鏡装置は、反射部と透光領域を持つ透明基板と、前記透明基板の背面に対向して配置された発光基板と、それらの間に配置された中間膜を備えている。前記発光基板には、多数の発光素子（ＬＥＤチップ）と、それら発光素子に電流を供給するためのパターン化した透明導電膜とが内蔵されている。そして、前記発光素子から生じた光を、前記透明基板の透光領域を介してこの鏡装置の前方に照射する。こうすることで、この照明付き鏡装置の前方に向かって光を照射するようにしている。前記透光領域は、この鏡装置の左右両端部に帯状に設けられている(請求項１、図１〜図２、要約を参照)。
【０００６】
また、特許文献３（実開平６−１９６２５号公報）には、鏡の背面に設けた第１金属板上にＰＴＣ発熱体（例えば正温度特性サーミスター）を配置し、そのＰＴＣ発熱体上に第２金属板を配置してなる防曇鏡が開示されている。
【０００７】
この防曇鏡では、前記両金属板の間に前記ＰＴＣ発熱体を囲むように電気絶縁性の液体を充填し、前記両金属板の周囲をシール材で封止して、前記液体が漏れないようにしている。前記両金属板間に電圧を印加することで、前記ＰＴＣ発熱体の自己温度制御機能により前記液体を一定温度に保持し、その熱で前記第１金属板を介して前記鏡をその裏側から加熱するようにしている。こうすることで、前記鏡に対する高い曇り止め効果を得ている(請求項１、図１〜図３、要約を参照)。
【先行技術文献】
【特許文献】
【０００８】
【特許文献１】特開平８−１１７０３７号公報
【特許文献２】特開２００８−１３５３３９号公報
【特許文献３】実開平６−１９６２５号公報
【考案の概要】
【考案が解決しようとする課題】
【０００９】
しかし、上述した特許文献１に記載の照明付き鏡台では、前記反射板で反射された光が、前記透光領域から使用者の顔に向けて直接照射されるので、照射角度あるいは座る位置によっては使用者が眩しく感じる恐れがある、という問題がある。
【００１０】
上述した特許文献２に記載の照明付き鏡装置では、前記透光領域がこの鏡装置の左右両端部に帯状に設けられているので、使用者が眩しく感じる恐れは少ないが、前記発光基板の内部に前記発光素子と前記透明導電膜とが埋め込まれているので、前記発光素子の交換ができない、という問題がある。
【００１１】
本考案は、以上のような事情を考慮してなされたものであり、その目的とするところは、使用者が眩しく感じる恐れがないだけでなく、使用者の鏡写りも改善することができ、しかも、光源の点検・交換作業が容易で、製造コストも低い照明付き鏡装置を提供することにある。
【００１２】
ここに明記しない本考案の他の目的は、以下の説明及び添付図面から明らかである。
【課題を解決するための手段】
【００１３】
（１）  本考案の照明付き鏡装置は、
鏡面の周辺部に透光領域を有する鏡と、
壁面に固定可能として構成された光源と、
前記光源から放出された光を散乱させて散乱（拡散）光を生成する光散乱（拡散）手段と、
前記鏡を前記壁面に所定の隙間をあけて着脱可能に係止するための係止手段とを備え、
設置時には、前記光源は前記壁面に固定され、前記鏡は、前記光散乱（拡散）手段により生成された散乱（拡散）光が前記透光領域を介して前記鏡の裏側からその表側に送出されるように、前記係止手段によって係止され、
前記光源から放出された光の一部は、前記鏡の裏側から前記壁面に沿って外向きに照射されることを特徴とするものである。
【００１４】
本考案の照明付き鏡装置では、以上のように構成されているので、前記光源から放出された光を前記光散乱（拡散）手段で散乱させることによって生成した散乱（拡散）光を、前記鏡面の周縁部に配置された前記透光領域を介して前記鏡の裏側からその表側に送出させることができる。このため、前記鏡の前方にいる使用者に対してその周囲から前記散乱（拡散）光が照射されることになる。また、それと同時に、前記光源から放出された光の一部は、前記鏡の裏側から前記壁面に沿って外向きに照射される。その結果、使用者が眩しく感じる恐れがないだけでなく、前記使用者の鏡写りも改善される。
【００１５】
また、前記光源は前記壁面に露出して固定すればよく、前記鏡に内蔵させたり、前記鏡の裏面に装着したりする必要がないと共に、前記鏡を前記壁面から取り外すだけで前記光源にアクセスできるので、前記光源の点検・交換作業が容易である。
【００１６】
さらに、前記鏡には、前記透光領域を形成するだけで足り、枠を装着したり、他の構成要素を付加したりする必要がないから、一般的な鏡を使用できる。前記光源は、前記壁面に露出して固定されればよいから、ＬＥＤユニットや蛍光灯などを用いて、低コストで実現できる。前記光散乱手段は、前記透光領域の裏面をサンドブラスト法等で粗面化したり、前記透光領域の裏面に光散乱シートを貼り付けたりすることで、低コストで実現できる。前記係止手段は、前記鏡を前記壁面に所定の隙間をあけて着脱可能に係止できるものであれば足りるので、金属、プラスチック、木材等からなる部材を適当に組み合わせることで、低コストで実現できる。よって、製造コストを低く抑えることができる。
【００１７】
（２）  本考案の好ましい例では、前記係止手段が、前記鏡の裏面に装着された、第１係合面を持つ第１支持体と、前記壁面に固定可能として構成された、第２係合面を持つ第２支持体とを備えており、前記壁面に固定された前記第２支持体の前記第２係合面に、前記第１支持体の第１係合面を係止させることで、前記鏡が前記壁面に着脱可能に係止される。
【００１８】
（３）  本考案の他の好ましい例では、前記光源が、前記透光領域に対応する形状で配置された複数のＬＥＤチップとされ、前記光散乱手段が、前記透光領域の全体を覆う光散乱シートとされる。
【００１９】
（４）  本考案のさらに他の好ましい例では、前記透光領域が、前記鏡の鏡面の周辺部においてその少なくとも三つの辺に沿って配置されると共に、前記三つの辺に沿って延在する帯状に形成される。
【００２０】
（５）  本考案のさらに他の好ましい例では、前記透光領域が、前記鏡の鏡面の周辺部においてその四つの辺に沿って配置される。
【考案の効果】
【００２１】
本考案の照明付き鏡装置によれば、使用者が眩しく感じる恐れがないだけでなく、使用者の鏡写りも改善することができ、しかも、光源の点検・交換作業が容易で、製造コストも低い、という効果が得られる。
【図面の簡単な説明】
【００２２】
【図１】本考案の第１実施形態に係る照明付き鏡装置の、光源を除いた構成を示す分解斜視図である。
【図２】本考案の第１実施形態に係る照明付き鏡装置の構成を示す正面図である。
【図３】本考案の第１実施形態に係る照明付き鏡装置の鏡側支持体の構成を示す正面図である。
【図４】本考案の第１実施形態に係る照明付き鏡装置の壁側支持体の構成とＬＥＤユニットの配置を示す正面図である。
【図５】本考案の第１実施形態の照明付き鏡装置において、鏡を壁面に装着する前の状態を示す、図２のＸ−Ｘ線に沿った断面図である。
【図６】本考案の第１実施形態の照明付き鏡装置を壁面に装着した状態を示す、図２のＸ−Ｘ線に沿った断面図である。
【図７】本考案の第１実施形態の照明付き鏡装置に使用された鏡の詳細構成を示す要部断面図で、（ａ）は銀皮膜を選択的に除去して開口を形成した場合を、（ｂ）はその開口を介して鏡の裏面に微細凹凸形成領域を形成した場合を示す。
【図８】本考案の第１実施形態の照明付き鏡装置に使用された鏡の詳細構成を示す要部断面図で、（ａ）は銀皮膜を選択的に除去して形成した開口を光散乱層で覆った場合を、（ｂ）は鏡の裏面の微細凹凸形成領域を光散乱層で覆った場合を示す。
【図９】本考案の第２実施形態の照明付き鏡装置を壁面に装着した状態を示す、図２のＸ−Ｘ線に沿った断面図である。
【考案を実施するための形態】
【００２３】
以下、添付図面を参照して、本考案の照明付き鏡装置の好適な実施形態について説明する。
【００２４】
（第１実施形態）
本考案の第１実施形態の照明付き鏡装置の全体構成を図１〜図４に示す。
【００２５】
図１に示すように、本実施形態の照明付き鏡装置は、矩形薄板状の鏡１１と、鏡側支持体１２と、壁側支持体２１と、光源としてのＬＥＤユニット２２（図４を参照）とを備えている。
【００２６】
図２に示すように、鏡１１の前面（鏡面）は、そのほとんどが反射領域１１ａとされているが、その周辺部には、デザイン性を考慮して透光領域１１ｂ、１１ｃ、１１ｄが形成されている。照明光は、各透光領域１１ｂを通って鏡１１の前面に送出される。これら透光領域１１ｂ、１１ｃ、１１ｄの各々の面積は、各透光領域１１ｂ、１１ｃ、１１ｄを通って鏡１１の前面に送出される照明光の光量を考慮して設定されている。なお、透光領域１１ｂ、１１ｃ、１１ｄは、鏡１１の背面全体に形成された銀被膜１３を選択的に除去することで形成されている（図７及び図８を参照）。
【００２７】
３個の透光領域１１ｂは、いずれも細長い帯状で、鏡面の上辺と左右の側辺に沿ってそれらの近傍に、上辺または左右辺のほぼ全体にわたって、それぞれ形成されている。これら透光領域１１ｂの形状と配置は、左右対称になっている。
【００２８】
４個の透光領域１１ｃは、いずれも円形で、鏡１１の鏡面の四つの角部にそれぞれ配置されている。これら透光領域１１ｂの形状と配置も、左右対称になっている。
【００２９】
鏡面の下辺の近傍には、透光領域１１ｄが形成されている。透光領域１１ｄは、所定の文字の形状にパターン化されていて、これら文字の形状に従って鏡１１の前面に照明光が送出される。したがって、透光領域１１ｄは、本実施形態の鏡装置が設置されている施設の名称やスポンサーの会社名などを表示させるために使用することができる。
【００３０】
鏡側支持体１２は、図３に示すように、全体形状が矩形の枠状とされており、棒状の上部材１２ａ、棒状の下部材１２ｂ、そして左右の棒状の側部材１２ｃから構成されている。鏡側支持体１２の大きさは、鏡１１よりもかなり小さく、壁側支持体２１よりも小さい。鏡側支持体１２は、例えば公知のミラーマットにより、鏡１１の裏面の中央部に装着される。装着時には、鏡側支持体１２は、その全体が透光領域１１ｂ、１１ｃ、１１ｄのいずれよりも内側（中心寄り）に位置するため、鏡側支持体１２が透光領域１１ｂ、１１ｃ、１１ｄと重なって、それらを通じての光照射が影響を受けることはない。
【００３１】
上部材１２ａは、下面が斜めに切除されて係合面１２ａａとなっている。下部材１２ｂも、同様に、下面が斜めに切除されて係合面１２ｂｂとなっている（図５を参照）。
【００３２】
壁側支持体２１は、例えば洗面所の壁面（通常は垂直）に固定されるものであって、図４に示すように、棒状の上部材２１ａ、棒状の下部材２１ｂ、そして左右の棒状の側部材２１ｃとで矩形の枠を形成すると共に、その内側に補助部材２１ｄを配置している。このため、壁側支持体２１の全体形状は、漢字の「日」の形に似た形状になっていると言える。壁側支持体２１の大きさは、鏡１１より少し小さく、壁側支持体２１より少し大きい。壁側支持体２１は、公知の接着剤またはネジ等により、例えば洗面所の壁面に固定される。固定時には、壁側支持体２１は、その全体が透光領域１１ｂ、１１ｃ、１１ｄのいずれよりも内側（中心寄り）に位置するため、壁側支持体２１が透光領域１１ｂ、１１ｃ、１１ｄと重なって、それらを通じての光照射が影響を受けることはない。
【００３３】
図５と図６に明瞭に示すように、壁側支持体２１の補助部材２１ｄは、上面が斜めに切除されて係合面２１ｄｄとなっている。この係合面２１ｄｄの傾斜の形状と大きさは、鏡側支持体１２の上部材１２ａの係合面１２ａａのそれと整合する。また、壁側支持体２１の下部材２１ｂも、同様に、上面が斜めに切除されて係合面２１ｂｂとなっている。この係合面２１ｂｂの傾斜の形状と大きさは、鏡側支持体１２の下部材１２ｂの係合面１２ｂｂのそれと整合する。
【００３４】
本実施形態では、光源として、４個のＬＥＤユニット２２が使用されている。これらのＬＥＤユニット２２は、図４及び図６に示すように、壁側支持体２１の外側において、矩形を構成する上部材１２ａと下部材１２ｂと左右の側部材１２ｃの近傍にそれぞれ配置されている。これらのＬＥＤユニット２２は、それぞれ、鏡１１の四つの透光領域１１ｂ、１１ｃ、１１ｄと重なる位置にある。つまり、上側のＬＥＤユニット２２は、上位にある帯状の透光領域１１ｂに重なる位置にあり、下側のＬＥＤユニット２２は、下位にある文字状の透光領域１１ｄに重なる位置にあり、左側のＬＥＤユニット２２は、左側にある帯状の透光領域１１ｂと円形の透光領域１１ｃの双方に重なる位置にある。右側のＬＥＤユニット２２は、右側にある帯状の透光領域１１ｂと円形の透光領域１１ｃの双方に重なる位置にある。
【００３５】
これらのＬＥＤユニット２２は、いずれも、複数の高照度ＬＥＤチップ２２ａを帯状の基板２２ｂ上に所定ピッチ（例えば２０〜３０ｍｍ程度のピッチ）で並列させたものである。電源スイッチ（図示せず）を操作することによって、各ＬＥＤユニット２２上のＬＥＤチップ２２ａには、所定の直流電流が供給されるようになっている。各ＬＥＤチップ２２ａとしては、色温度が６０００Ｋ〜７０００Ｋ程度の高照度のものを使用するのが好ましい。これは、蛍光灯昼光色に相当する。なお、２２ｃはＬＥＤユニット２２の電源コードである。
【００３６】
鏡１１の透光領域１１ｂ、１１ｃ、１１ｄは、図７（ａ）に示すように、鏡１１の裏面全体に形成された銀皮膜１３を、公知のエッチング、サンドブラスト等によって選択的に除去することで形成されている。例えば、銀皮膜１３を透光領域１１ｂの形状に除去すると、銀皮膜１３には帯状の開口１３ａが形成され、鏡１１の裏面には同一形状の露出部１１ｅが形成される。こうして、開口１３ａに対応する位置と形状を持つ透光領域１１ｂが、鏡１１に形成される。なお、サンドブラストによって開口１３ａを形成すると、図７（ｂ）に示すように、鏡１１の裏面の開口１３ａに対応する箇所に微細凹凸形成領域１４を形成することができるので、これによって光を散乱（拡散）させることができる。この場合、透光領域１１ｂから送出される光は、直接照射光よりソフトな散乱（拡散）光となる。
【００３７】
本実施形態では、光源として、複数のＬＥＤチップ２２ａを基板２２ｂ上に所定ピッチで並列させてなるＬＥＤユニット２２を使用しているので、何も対策を取らなければ、透光領域１１ｂ、１１ｃ、１１ｄから、点光源としてのＬＥＤチップ２２ａの形態（光点の並列状態）が使用者に視認されてしまう。そこで、図８（ａ）に示すように、銀皮膜１３の開口１３ａを光散乱（拡散）層１５で覆っている。このため、各ＬＥＤチップ２２ａから放出された光は、光散乱層１５で散乱（拡散）せしめられた後、透光領域１１ｂ、１１ｃ、１１ｄを通って前方に照射されるので、ＬＥＤチップ２２ａによる光点の並列状態が見えるという難点が解消されるが、それと同時に、透光領域１１ｂ、１１ｃ、１１ｄから送出される光がソフトになるという利点が得られる。
【００３８】
光散乱（拡散）層１５としては、例えば公知の乳半シート（フィルム）が好適に使用できるが、光散乱（拡散）作用を持つものであれば、乳半シート以外のものも使用可能である。
【００３９】
なお、図８（ｂ）に示すように、鏡１１の裏面の開口１３ａに対応する箇所に微細凹凸形成領域１４が形成されている場合も、同様に、微細凹凸形成領域１４を光散乱層１５で覆うことができる。この場合、各ＬＥＤチップ２２ａから放出された光を散乱（拡散）する度合いが増加するため、微細凹凸形成領域１４がない図８（ａ）の場合に比べて、透光領域１１ｂ、１１ｃ、１１ｄから送出される光がソフトになる光がいっそうソフトになる。
【００４０】
次に、図５及び図６を参照しながら、以上の構成を持つ第１実施形態の鏡装置の使用状態について説明する。ここでは、本実施形態の鏡装置を、洗面台３４の前方にある壁３０の壁面３１の所定箇所に設置する場合について述べるが、これ以外の箇所にも設置可能であることは言うまでもない。
【００４１】
図５及び図６に示すように、洗面台３４の上には、水返し３２と水栓３３が装備されている。水返し３２は、壁面３１の下端部（洗面台３４の最奥部）に配置され、水栓３３は水返し３２の前方に配置されている。
【００４２】
まず、図５に示すように、例えばミラーマットを用いて、矩形の鏡側支持体１２を鏡１１の裏面の所定箇所に装着する。他方、例えば接着剤またはネジを用いて、略「日」形の壁側支持体２１を、洗面台３４の前方にある壁３０の壁面３１の所定箇所に固定する。
【００４３】
そこで、図５に示すように、壁面３１の前方から、鏡側支持体１２が裏面に固定された鏡１１を、壁面３１に固定された壁側支持体２１に向けて近づけ、同図中の矢印Ａで示したようにして、鏡側支持体１２の上部材１２ａと下部材１２ｂを、壁側支持体２１の補助部材２１ｄと下部材２１ｂにそれらの上方から引っ掛ける。すると、図６に示すように、鏡側支持体１２の上部材１２ａと下部材１２ｂは、壁側支持体２１の補助部材２１ｄと下部材２１ｂにそれぞれ係止され、両者は一体的に保持される。この時の状態は図６に示すとおりである。
【００４４】
上述したように、壁側支持体２１の補助部材２１ｄの係合面２１ｄｄの傾斜の形状と大きさは、鏡側支持体１２の上部材１２ａの係合面１２ａａのそれと整合しており、壁側支持体２１の下部材２１ｂの係合面２１ｂｂの傾斜の形状と大きさは、鏡側支持体１２の下部材１２ｂの係合面１２ｂｂのそれと整合しているから、鏡１１は図６に示した状態で、「がたつき」なしに壁面３１に係止され、保持される。
【００４５】
鏡１１は、壁側支持体２１と鏡側支持体１２を係止させることで壁面３１に設置されているため、この係止状態では、壁面３１と鏡１１の裏面との間には、大きさ（距離）Ｄ（２５ｍｍ程度が好ましい）の隙間４０があいている。このため、鏡１１がＬＥＤユニット２２に接触して問題が生じる恐れはない。
【００４６】
このようにして壁面３１に係止された鏡１１を使用する際には、使用者が図示しない電源スイッチを操作して、ＬＥＤユニット２２に電流を供給すればよい。すると、ＬＥＤユニット２２のＬＥＤチップ２２ａから光が放出され、その光は、図６に矢印Ｂで示すように、鏡１１の鏡面の周辺部に配置された透光領域１１ｂ、１１ｃ、１１ｄを通って前方に送出される。この光は、鏡１１の裏面で光散乱層１５によって散乱（拡散）されてから送出されたものであるため、間接照明と同様のソフトな感じの照明光となる。また、透光領域１１ｂ、１１ｃ、１１ｄが鏡面の周辺部に配置されていて通常状態では使用者に直接照射されることがなく、しかも発光する範囲が限定されているので、使用者が眩しく感じる恐れもない。
【００４７】
また、これと同時に、ＬＥＤチップ２２ａから放出された光の一部は、図２と図６に矢印Ｃで示すように、鏡１１と壁面３１の間の隙間４０を通って、鏡１１の周縁から外向きに四方に放射される。この光は、鏡１１の周囲にある壁面や天井等で反射して使用者に間接的に照射されることになる。この光も、弱い間接照明光として機能する。この光も、直接的に使用者に照射されることがないので、使用者が眩しく感じる恐れはない。
【００４８】
さらに、図６に示すように、鏡１１の周囲から照射される光により、洗面台３４の最奥部が間接的に照明されるため、水栓３３の近傍も明るくなるという利点もある。
【００４９】
このような二種類の照明光の作用により、鏡１１の近傍に別個に照明器具を設けることが不要な程度の明るさが得られるだけでなく、使用者の鏡写りも良好となる。
【００５０】
メンテナンス時にＬＥＤユニット２２を点検したり交換したりする場合は、鏡１１の係止時とは逆の過程を経て、壁面３１から容易に鏡１１を取り外すことができる。つまり、図６の状態から鏡１１を少し持ち上げると、鏡側支持体１２の上部材１２ａと下部材１２ｂが、壁側支持体２１の補助部材２１ｄと下部材２１ｂから外れるので、その状態で鏡１１を手前に引けばよい。このような簡単な動作で、鏡１１を容易に壁面３１から取り外すことができる。
【００５１】
以上説明したように、本考案の第１実施形態の照明付き鏡装置では、光源としてのＬＥＤユニット２２から放出された光を光散乱（拡散）層１５で散乱させることによって生成した散乱（拡散）光を、鏡面の周縁部に配置された透光領域１１ｂ、１１ｃ、１１ｄを介して鏡１１の裏側からその表側に送出させることができる。このため、鏡１１の前方にいる使用者に対してその周囲から前記散乱（拡散）光が照射されることになる。また、それと同時に、ＬＥＤユニット２２から放出された光の一部は、鏡１１の裏側から壁面３１に沿って外向きに照射される。その結果、使用者が眩しく感じる恐れがないだけでなく、使用者の鏡写りも改善される。
【００５２】
また、ＬＥＤユニット２２は壁面３１に露出して固定すればよく、鏡１１に内蔵させたり、鏡１１の裏面に装着したりする必要がないと共に、鏡１１を壁面３１から取り外すだけでＬＥＤユニット２２にアクセスできるので、ＬＥＤユニット２２の点検・交換作業が容易である。
【００５３】
さらに、鏡１１には、透光領域１１ｂ、１１ｃ、１１ｄを形成するだけで足り、枠を装着したり、他の構成要素を付加したりする必要がないから、一般的な鏡を使用できる。ＬＥＤユニット２２は、壁面３１に露出して固定されればよいから、低コストで実現できる。光散乱（拡散）層１５は、透光領域１１ｂ、１１ｃ、１１ｄの裏面をサンドブラスト法等で粗面化したり、透光領域１１ｂ、１１ｃ、１１ｄの裏面に光散乱（拡散）シート（フィルム）を貼り付けたりすることで、低コストで実現できる。さらに、係止手段としての鏡側支持体１２と壁側支持体２１は、鏡１１を壁面３１に所定の隙間４０をあけて着脱可能に係止できるものであれば足りるので、金属、プラスチック、木材等からなる部材を適当に組み合わせることで、低コストで実現できる。よって、本実施形態の照明付き鏡装置の製造コストを低く抑えることができる。
【００５４】
（第２実施形態）
図９は、本考案の第２実施形態の照明付き鏡装置を示す。
【００５５】
本第２実施形態の照明付き鏡装置は、防曇用電熱パネル４１が鏡１１の裏面に装着されていることを除き、上述した第１実施形態の照明付き鏡装置と同じ構成である。よって、同一の構成要素には同一の符号を付してその説明を省略する。
【００５６】
本実施形態では、防曇用電熱パネル４１が設けられているので、上述した第１実施形態の照明付き鏡装置と同じ効果に加え、鏡１１が曇りにくいという効果がある。
【００５７】
本考案の鏡装置では、壁面３１と鏡１１の裏面との間に隙間４０が設けられているので、防曇用電熱パネル４１を装着することは容易である。また、鏡１１の装着と取り外し作業が容易であるから、防曇用電熱パネル４１のメンテナンスも容易に行える。
【００５８】
防曇用電熱パネル４１に代えて、背景技術として上述した特許文献３に開示されたＰＴＣ発熱体や、他の防曇機構も使用可能である。
【００５９】
（変形例）
上述した実施形態は本考案を具体化した例を示すものである。したがって、本考案はこれら実施形態に限定されるものではなく、本考案の趣旨を外れることなく種々の変形が可能であることは言うまでもない。
【００６０】
例えば、上述した実施形態では、光源としてＬＥＤユニットが使用されているが、これに限定されるものではなく、ＬＥＤユニット以外の光源、例えば蛍光灯のような光源も使用可能である。
【００６１】
また、上述した実施形態では、透光領域が、鏡の鏡面の周辺部においてその四つの辺すべてに沿って配置されているが、本考案はこれに限定されるものではない。鏡の鏡面の周辺部においてその少なくとも三つの辺に沿って配置されていれば足りる。
【符号の説明】
【００６２】
１１  鏡
１１ａ、１１ｂ、１１ｃ、１１ｄ  透光領域
１１ｅ  露出部
１２  鏡側支持体
１２ａ  上部材
１２ａａ  係合面
１２ｂ  下部材
１２ｂｂ  係合面
１２ｃ  側部材
１３  銀皮膜
１３ａ  開口
１４  微細凹凸形成領域
１５  光散乱層
２１  壁側支持体
２１ａ  上部材
２１ｂ  下部材
２１ｂｂ  係合面
２１ｃ  側部材
２１ｄ  補助部材
２１ｄｄ  係合面
２２  ＬＥＤユニット
２２ａ  ＬＥＤチップ
２２ｂ  基板
２２ｃ  電源コード
３０  壁
３１  壁面
３３  水栓
３４  洗面台
４０  隙間
４１  防曇用電熱パネル
【図１】
0003167562.tif 000003
【図２】
0003167562.tif 000004
【図３】
0003167562.tif 000005
【図４】
0003167562.tif 000006
【図５】
0003167562.tif 000007
【図６】
0003167562.tif 000008
【図７】
0003167562.tif 000009
【図８】
0003167562.tif 000010
【図９】
0003167562.tif 000011